【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセスプラントの人員にタスクを割り当てるための、コンピュータで実施される自動化された方法であって、スーパーバイザモジュールによって実行され、
エキスパートシステムからデータを受信することと、
前記エキスパートシステムから受信したデータに従ってタスクを指定する作業項目を作成することと、
前記作業項目に指定されているタスクを実行する人を選択することと、
前記選択された人に関連するデバイスに前記作業項目を送信すること、および
前記作業項目を前記選択された人が受け取ったという指標を受信することと、
を含む、方法。
【請求項２】
前記エキスパートシステムからデータを受信することが、
（ｉ）パラメータを観察及び記録する行為、
（ｉｉ）プロセス制御デバイスを検査する行為、
（ｉｉｉ）プロセス制御デバイスを較正する行為、
（ｉｖ）音声サンプルを記録する行為、
（ｖ）イメージ又はビデオを取り込む行為、
（ｖｉ）プロセス制御デバイスの保守を行う行為、
（ｖｉｉ）プロセス制御デバイスを修理する行為、
（ｖｉｉｉ）プロセス制御デバイスを交換する行為、又は
（ｉｘ）プロセス制御パラメータを調整する行為
のうちの少なくとも１つを行う命令を受信することを含む、請求項１に記載の方法。
【請求項３】
作業項目を作成することが、タスク及び指定されているタスクに関係する対象機器を指定する作業項目を作成することと、
（ｉ）指定されているタスクを行うのに不可欠なツール又は機器、
（ｉｉ）作業項目の優先順位レベル、
（ｉｉｉ）指定されているタスクを行うのに不可欠な必要な技能、
（ｉｖ）必要な開始時刻及び／又は開始日、又は
（ｖ）必要な完了時刻及び／又は完了日、
のうちの少なくとも１つをさらに指定することを含む、請求項１又は請求項２に記載の方法。
【請求項４】
前記作業項目の実行をスケジューリングすることをさらに含む、請求項１〜請求項３のいずれか一項に記載の方法。
【請求項５】
前記作業項目の実行をスケジューリングすることが、
（ｉ）前記選択された人に関連する前記プロセスプラントを通るスケジュールされたルート、
（ｉｉ）前記プロセスプラントによって実行されるプロセスに関する投入材料のスケジュールされた送達、
（ｉｉｉ）前記プロセスプラントによって生産された製品のスケジュールされた送達、
（ｉｖ）予測される気象条件、
（ｖ）前記プロセスプラントによって生産された製品のスケジュールされた発送時刻、
（ｖｉ）前記プロセスプラントのプロセスの予測される又はスケジュールされた完了時刻、又は
（ｖｉｉ）前記指定されているタスクを完了するのに必須のツール、機器、又は部品の予測される又はスケジュールされた到着、
のうちの少なくとも１つに従って作業項目の実行をスケジューリングすることを含む、請求項４に記載の方法。
【請求項６】
前記指定されているタスクに関連するか、前記指定されているタスクに関連するプロセス制御デバイスに関連するか、又はこの両方に関連する許可トークンを作成及び格納することをさらに含み、前記許可トークンは、前記選択された人が前記指定されているタスクに関連するプロセス制御デバイス上で前記指定されているタスクを行うのに必要とされる、請求項１〜請求項５のいずれか一項に記載の方法。
【請求項７】
前記作業項目に指定されているタスクを実行する人を選択することが、（１）（ｉ）前記作業項目に指定されているタスク、（ｉｉ）前記指定されているタスクに関連するプロセス制御デバイス、又は（ｉｉｉ）この両方、及び（２）前記スーパーバイザモジュールがアクセス可能な複数の人員プロフィールに従って人を選択することを含む、請求項１〜請求項６のいずれか一項に記載の方法。
【請求項８】
前記スーパーバイザモジュールがアクセス可能な複数の人員プロフィールに従って人を選択することが、技能、任務、認証、又は資格証明書に従って人を選択することを含む、請求項７に記載の方法。
【請求項９】
前記エキスパートシステムからデータを受信することが、
（ｉ）プロセスパラメータに関連する傾向を示すデータを受信すること、
（ｉｉ）前記プロセスプラントにおける予測される問題を示すデータを受信すること、
（ｉｉｉ）前記エキスパートシステムにパラメータ値を提供することに関する要求を受信すること、又は、
（ｉｖ）プロセス制御デバイスに関する特定の行為を行う命令を受信することを含む、請求項１〜請求項８のいずれか一項に記載の方法。
【請求項１０】
前記エキスパートシステムから受信したデータに従ってタスクを指定する作業項目を作成することが、（ｉ）指定されているタスクが保守タスク、較正タスク、交換タスク、検査タスク、又は修理タスクを行うことである作業項目を作成すること、又は、（ｉｉ）タスクを指定する作業項目を作成することが、前記指定されているタスクに関係する対象機器を指定することも含むタスクを指定する作業項目を作成することを含む、請求項１〜請求項９のいずれか一項に記載の方法。
【請求項１１】
前記作業項目に指定されているタスクを実行する人を選択することが、人員が実行する作業項目を選択するデータベースに前記作業項目を格納することを含む、請求項１〜請求項１０のいずれか一項に記載の方法。
【請求項１２】
前記作業項目に指定されているタスクを実行する人を選択することが、
人に関連するデバイスから前記作業項目を実行することに関する要求を受信することと、
前記人が前記作業項目を実行するのに適任であるかどうかを判定するために前記人に関連するプロフィールを前記作業項目に格納された情報と比較することと、
をさらに含む、請求項１１に記載の方法。
【請求項１３】
プロセス制御システムであって、
複数のプロセス制御デバイスと、
前記プロセス制御システムのセンサデータ及びパラメータデータを格納するビッグデータヒストリアンと、
前記ビッグデータヒストリアンに結合され、前記ビッグデータヒストリアンによって格納されたデータを解析するように動作可能なエキスパートシステムと、
前記エキスパートシステムに結合され、プロセスプラントの人員にタスクを割り当てるためのように動作可能なスーパーバイザモジュールと、
を備え、前記スーパーバイザモジュールが、
前記エキスパートシステムからデータを受信し、
前記エキスパートシステムから受信したデータに従ってタスクを指定する作業項目を作成し、
前記作業項目に指定されているタスクを実行する人を選択し、
前記選択された人に関連するデバイスに前記作業項目を送信しおよび、
前記作業項目を前記選択された人が受け取ったという指標を受信する、
ように構成される、プロセス制御システム。
【請求項１４】
前記エキスパートシステムからデータを受信することが、
（ｉ）パラメータを観察及び記録する行為、
（ｉｉ）プロセス制御デバイスを検査する行為、
（ｉｉｉ）プロセス制御デバイスを較正する行為、
（ｉｖ）音声サンプルを記録する行為、
（ｖ）イメージ又はビデオを取り込む行為、
（ｖｉ）プロセス制御デバイスの保守を行う行為、
（ｖｉｉ）プロセス制御デバイスを修理する行為、
（ｖｉｉｉ）プロセス制御デバイスを交換する行為、又は
（ｉｘ）プロセス制御パラメータを調整する行為
のうちの少なくとも１つを行う命令を受信することを含む、請求項１３に記載のシステム。
【請求項１５】
作業項目を作成することが、タスク及び指定されているタスクに関係する対象機器を指定する作業項目を作成することと、
（ｉ）指定されているタスクを行うのに不可欠なツール又は機器、
（ｉｉ）作業項目の優先順位レベル、
（ｉｉｉ）指定されているタスクを行うのに不可欠な必要な技能、
（ｉｖ）必要な開始時刻及び／又は開始日、又は
（ｖ）必要な完了時刻及び／又は完了日、
のうちの少なくとも１つをさらに指定することを含む、請求項１３又は請求項１４に記載のシステム。
【請求項１６】
前記作業項目の実行をスケジューリングすることが、
（ｉ）前記選択された人に関連する前記プロセスプラントを通るスケジュールされたルート、
（ｉｉ）前記プロセスプラントによって実行されるプロセスに関する投入材料のスケジュールされた送達、
（ｉｉｉ）前記プロセスプラントによって生産された製品のスケジュールされた送達、
（ｉｖ）予測される気象条件、
（ｖ）前記プロセスプラントによって生産された製品のスケジュールされた発送時刻、
（ｖｉ）前記プロセスプラントのプロセスの予測される又はスケジュールされた完了時刻、又は
（ｖｉｉ）前記指定されているタスクを完了するのに必須のツール、機器、又は部品の予測される又はスケジュールされた到着、
のうちの少なくとも１つに従って作業項目の実行をスケジューリングすることを含む、請求項１３〜請求項１５のいずれか一項に記載のシステム。
【請求項１７】
スーパーバイザモジュールが、前記指定されているタスクに関連するか、前記指定されているタスクに関連するプロセス制御デバイスに関連するか、又はこの両方に関連する許可トークンを作成及び格納するようにさらに動作可能であり、前記許可トークンは、前記選択された人が前記指定されているタスクに関連するプロセス制御デバイス上で前記指定されているタスクを行うのに必要とされる、請求項１３〜請求項１６のいずれか一項に記載のシステム。
【請求項１８】
前記作業項目に指定されているタスクを実行する人を選択することが、（１）（ｉ）前記作業項目に指定されているタスク、（ｉｉ）前記指定されているタスクに関連するプロセス制御デバイス、又は（ｉｉｉ）この両方、及び（２）前記スーパーバイザモジュールがアクセス可能な複数の人員プロフィールに従って人を選択することを含む、請求項１３〜請求項１７のいずれか一項に記載のシステム。
【請求項１９】
前記エキスパートシステムから受信したデータに従ってタスクを指定する作業項目を作成することが、指定されているタスクが保守タスク、較正タスク、交換タスク、検査タスク、又は修理タスクを行うことである作業項目を作成することを含む、請求項１３〜請求項１８のいずれか一項に記載のシステム。
【請求項２０】
タスクを指定する作業項目を作成することが、前記指定されているタスクに関係する対象機器を指定することも含むタスクを指定する作業項目を作成することを含む、請求項１３〜請求項１９のいずれか一項に記載のシステム。
【請求項２１】
前記作業項目に指定されているタスクを実行する人を選択することが、前記選択された人に関連するデバイスから受信した場所データに従って人を選択することを含む、請求項２０に記載のシステム。
【請求項２２】
前記作業項目に指定されているタスクを実行する人を選択することが、人員が実行する作業項目を選択するデータベースに前記作業項目を格納することを含む、請求項１３〜請求項２１のいずれか一項に記載のシステム。
【請求項２３】
前記作業項目に指定されているタスクを実行する人を選択することが、
人に関連するデバイスから前記作業項目を実行することに関する要求を受信することと、
前記人が前記作業項目を実行するのに適任であるかどうかを判定するために前記人に関連するプロフィールを前記作業項目に格納された情報と比較することと、
をさらに含む、請求項２２に記載のシステム。